【手続補正書】
【提出日】平成24年5月16日(2012.5.16)
【手続補正１】
【補正対象書類名】特許請求の範囲
【補正対象項目名】全文
【補正方法】変更
【補正の内容】
【特許請求の範囲】
【請求項１】
経路の案内において経路の周辺の地点の情報を提供する情報提供装置であって、
現在位置を表す現在位置情報を生成する現在位置情報生成部と、
目的地に至る経路に関する第１種の情報と、共通の享受物を享受できる複数の地点を含む領域であって、前記経路の近傍の範囲である第１の範囲と重複する領域である近傍領域に関する第２種の情報と、を含む経路データを準備する経路データ準備部と、
前記現在位置情報と前記経路データに基づいて、前記経路に関する案内を行う経路案内部と、を含み、
前記経路案内部は、
前記第１種の情報に基づいて、前記経路の案内を行う案内実行部と、
前記近傍領域内または前記近傍領域の近傍の所定の範囲内に現在位置があるときに、前記第２種の情報についての紹介を行い、前記近傍領域における前記享受物と同じ享受物を享受できる他の領域に関する情報の要求をユーザに促す近傍領域紹介部と、
前記他の領域に関する情報の要求を前記ユーザから受け取った場合に、前記ユーザの移動手段の種類と進行方向との少なくとも一方に応じて、前記近傍領域における前記享受物と同じ享受物を享受できる複数の地点を含む領域であって、現在位置の近傍の範囲である第２の範囲と重複する代替領域を、前記他の領域として提示する代替領域提示部と、
前記近傍領域と前記代替領域とから選択された領域の指定を受けて、前記選択された領域において前記享受物を享受できる地点の情報を提供する情報提供部と、を含む、情報提供装置。
【請求項２】
請求項１記載の情報提供装置であって、
前記第２の範囲は、前記経路の近傍の所定の範囲であって、現在位置と、前記経路のうち現在位置よりも下流側の一部と、を含む範囲である、情報提供装置。
【請求項３】
請求項１または２記載の情報提供装置であって、
前記移動手段が第１種の移動手段である場合には、あらかじめ所定の大きさで設定された複数の領域の中から前記近傍領域および前記代替領域が選択され、
前記移動手段が、前記第１種の移動手段よりも長距離の移動に適した第２種の移動手段である場合には、前記所定の大きさよりも大きい大きさであらかじめ設定された複数の領域の中から前記近傍領域および前記代替領域が選択される、情報提供装置。
【請求項４】
請求項１から３のいずれかに記載の情報提供装置であって、
前記近傍領域紹介部は、
前記他の領域に関する表示を行うことにより、前記他の領域に関する情報の要求を前記ユーザに促し、
所定の時間が経過した後に前記他の領域に関する表示の一部を消す、情報提供装置。
【請求項５】
請求項１から４のいずれかに記載の情報提供装置であって、
前記代替領域提示部は、
前記近傍領域と前記代替領域とを、出発地から目的地に至る前記経路とともに表示し、
前記近傍領域において、前記享受物を享受できる前記地点の地理上の単位面積あたりの数が所定の数よりも少ない場合には、前記近傍領域を、第１の色を使用して表示し、
前記近傍領域において、前記享受物を享受できる前記地点の地理上の単位面積あたりの数が前記所定の数よりも多い場合には、前記近傍領域を、前記第１の色よりも濃い第２の色を使用して表示し、
前記代替領域において、前記享受物を享受できる前記地点の地理上の単位面積あたりの数が前記所定の数よりも少ない場合には、前記代替領域を、第３の色を使用して表示し、
前記代替領域において、前記享受物を享受できる前記地点の地理上の単位面積あたりの数が前記所定の数よりも多い場合には、前記代替領域を、前記第３の色よりも濃い第４の色を使用して表示する、情報提供装置。
【請求項６】
請求項１から５のいずれかに記載の情報提供装置であって、
前記経路を移動する日が、ある領域において前記享受物を享受できる時間外である場合には、その領域は、前記近傍領域として選択されず、前記代替領域として選択されない、情報提供装置。
【請求項７】
請求項１から６のいずれかに記載の情報提供装置であって、
前記第１の範囲は、現在位置に対して川の対岸の領域を、前記川にかけられた橋の近傍の範囲を除いて、含まない、情報提供装置。
【請求項８】
請求項１から７のいずれかに記載の情報提供装置であって、
前記経路を表示部に表示する際の縮尺が、第１の縮尺である場合には、あらかじめ設定された第１の群の領域の中から、前記近傍領域および前記代替領域が選択され、
前記経路を表示する際の前記縮尺が、前記第１の縮尺の場合よりも広い範囲を前記表示部に表示する第２の縮尺である場合には、あらかじめ設定された第２の群の領域であってその中の少なくとも一つの領域が前記第１の群の複数の領域を包含する第２の群の領域の中から、前記近傍領域および前記代替領域が選択される、情報提供装置。
【請求項９】
請求項１から８のいずれかに記載の情報提供装置であって、
前記第２種の情報は、前記享受物に関する情報を含み、
前記情報提供部は、
前記第２種の情報に含まれる前記享受物に関する前記情報に基づいて、キーワードの少なくとも一部を決定し、
前記享受物を享受できる地点に関する情報を格納する地点データベースを参照し、前記キーワードを使用して、前記享受物を享受できる前記地点に関する情報検索を行って、検索結果を出力する、情報提供装置。
【請求項１０】
経路の案内において経路の周辺の地点の情報を提供する情報提供装置で使用される情報提供方法であって、
（ａ）現在位置を表す現在位置情報を生成する工程と、
（ｂ）目的地に至る経路に関する第１種の情報と、共通の享受物を享受できる複数の地点を含む領域であって、前記経路の近傍の範囲である第１の範囲と重複する領域である近傍領域に関する第２種の情報と、を含む経路データを準備する工程と、
（ｃ）前記現在位置情報と前記経路データに基づいて、前記情報提供装置が前記経路に関する案内を行う工程と、を含み、
前記工程（ｃ）は、
（ｃ１）前記情報提供装置が、前記第１種の情報に基づいて、前記経路の案内を行う工程と、
（ｃ２）前記近傍領域内または前記近傍領域の近傍の所定の範囲内に現在位置があるときに、前記情報提供装置が、前記第２種の情報に基づいて、前記享受物に関する前記近傍領域の紹介を行い、前記近傍領域における前記享受物と同じ享受物を享受できる他の領域に関する情報の要求をユーザに促す工程と、
（ｃ３）前記他の領域に関する情報の要求を前記ユーザから受け取った場合に、前記ユーザの移動手段の種類と進行方向との少なくとも一方に応じて、前記近傍領域における前記享受物と同じ享受物を享受できる複数の地点を含む領域であって、現在位置の近傍の範囲である第２の範囲と重複する代替領域を、前記他の領域として前記情報提供装置が提示する工程と、
（ｃ４）前記近傍領域と前記代替領域から選択された領域の指定を受けて、前記情報提供装置が、前記選択された領域において前記享受物を享受できる地点の情報を提供する工程と、を含む情報提供方法。
【請求項１１】
コンピュータにおいて実行され、経路の案内において経路の周辺の地点の情報を前記コンピュータに提供させるためのコンピュータプログラムであって、
現在位置を表す現在位置情報を生成する第１の機能と、
目的地に至る経路に関する第１種の情報と、共通の享受物を享受できる複数の地点を含む領域であって、前記経路の近傍の範囲である第１の範囲と重複する領域である近傍領域に関する第２種の情報と、を含む経路データを準備する第２の機能と、
前記現在位置情報と前記経路データに基づいて、前記経路に関する案内を行う第３の機能と、を前記コンピュータに実現させるコンピュータプログラムであり、
前記第３の機能は、
前記第１種の情報に基づいて、前記経路の案内を行う第４の機能と、
前記近傍領域内または前記近傍領域の近傍の所定の範囲内に現在位置があるときに、前記第２種の情報に基づいて、前記享受物に関する前記近傍領域の紹介を行い、前記近傍領域における前記享受物と同じ享受物を享受できる他の領域に関する情報の要求をユーザに促す第５の機能と、
前記他の領域に関する情報の要求を前記ユーザから受け取った場合に、前記ユーザの移動手段の種類と進行方向との少なくとも一方に応じて、前記近傍領域における前記享受物と同じ享受物を享受できる複数の地点を含む領域であって、現在位置の近傍の範囲である第２の範囲と重複する代替領域を、前記他の領域として提示する第６の機能と、
前記近傍領域と前記代替領域から選択された領域の指定を受けて、前記選択された領域において前記享受物を享受できる地点の情報を提供する第７の機能と、を含むコンピュータプログラム。